(57)【特許請求の範囲】
【請求項１】
座位姿勢で被計重者の体重を計重するための椅子型体重計であって、
複数本の脚体で支持された支持台の上面に計重器が一体に取付けられていると共に、当該計重器の上面に連結板が一体に取付けられた体重計本体と、
上面に椅子が一体に取付けられて、前記体重計本体の連結板を除く部材に接触することなく、当該連結板に対して第１連結手段を介して着脱可能に連結される椅子取付け体と、
前記体重計本体に接触することなく、前記椅子取付け体に対して第２連結手段を介して着脱可能に連結されて、当該椅子取付け体に取付けられた椅子に座位した被計重者の両足を支持するための足載せ体と、
から成り、
前記体重計本体の計重器の上面に一体に取付けられた連結板に対して第１連結手段を介して椅子取付け体を取付けると共に、当該椅子取付け体に対して第２連結手段を介して足載せ体を取付けた状態で、前記椅子取付け体に取付けられた椅子に被計重者が座位して、両足を前記足載せ体に支持させることにより、被計重者の全体重を前記連結板を介して前記計重器に作用させて、体重を計重し、
前記第１及び第２の各連結手段を解除して、体重計本体と椅子取付け体と足載せ体との計３つの各部材に分解して運搬すると共に、当該３つの部材の組み立てが可能であることを特徴とする分解・組立て可能な椅子型体重計。
【請求項２】
前記体重計本体の支持台を支持する複数本の脚体は、折り畳み可能であることを特徴とする請求項１に記載の分解・組立て可能な椅子型体重計。
【請求項３】
前記体重計本体における椅子の背後の部分には、計重器で計重された体重を表示する表示器が取付けられていることを特徴とする請求項１又は２に記載の分解・組立て可能な椅子型体重計。
【請求項４】
前記第１連結手段は、
先端側が等脚台形状に形成された体重計本体の連結板と、前記椅子取付け体の基板に対する体重計本体の連結板の前後方向及び幅方向の二方向の位置決めを行うために、前記基板の裏面に、前記連結板の先端側の等脚台形状に対応したハの字形となって取付けられた位置決め体と、体重計本体の連結板に一体に取付けられて、当該位置決め体により椅子取付け体の基板に対する体重計本体の連結板の前記二方向の位置決めが行われた状態で、前記基板の位置決め固定孔に対してプランジャピンが挿入されるプレスプランジャと、
を備えていることを特徴とする請求項１ないし３のいずれかに記載の分解・組立て可能な椅子型体重計。
【請求項５】
前記第２連結手段は、
椅子取付け体を構成する基板の裏面に幅方向に所定間隔をおいて前後方向に沿って一体に取付けられて、前端部のみが下方に傾斜した連結溝が形成された一対の固定連結板と、同じく前端部のみが下方に傾斜した連結溝が形成されて、前記一対の固定連結板の連結溝に複数本の連結ピンを介して連結される一対の第１スライド連結板と、当該一対の第１スライド連結板の連結溝の前端部の傾斜部に複数本の連結ピンを介して連結されて、足載せ体を構成する左右一対の足載せ体単体を連結する２本の連結バーを挿入して連結する２本の連結溝が先端上半部に上下方向に形成された一対の第２スライド連結板と、
から成り、
計重時には、一対の第１スライド連結板を一対の固定連結板の連結溝の前端部の傾斜部分に配置して、先端が下がった姿勢にすると共に、一対の第２スライド連結板を一対の第１スライド連結板の連結溝の先端の傾斜部分に配置して、先端が下がった姿勢にして、当該一対の第２スライド連結板の先端の２本の連結溝に足載せ体の２本の連結バーを挿入して連結し、
運搬時には、一対の第２スライド連結板の先端部から足載せ体を取り外した状態で、一対の第１スライド連結板を一対の固定連結板の連結溝の一般水平部に配置すると共に、一対の第２スライド連結板を一対の第１スライド連結板の連結溝の一般水平部に配置することにより、固定連結板、並びに第１及び第２の各スライド連結板の計３枚の連結板を重ね合わせて折り畳んで、収納することを特徴とする請求項１ないし３のいずれかに記載の分解・組立て可能な椅子型体重計。
【発明の詳細な説明】
【技術分野】
【０００１】
本発明は、訪問看護現場等において下肢の不自由な者であっても体重を計重可能にするために、訪問看護現場等に分解状態で搬送して、当該現場等で組み立てることにより、上記した下肢が不自由な者の体重を座位姿勢で計重するための椅子型体重計に関するものである。なお、本明細書において、「計重」とは、人体を含めて物体の重量を測定することを意味する。
【背景技術】
【０００２】
椅子型体重計としては、例えば特許文献１に開示のものが知られており、下肢が不自由であって、車椅子での生活を余儀なくされている者（以下、「下肢障害者」という）であっても、計重可能な利点がある。しかし、特許文献１に開示の椅子型体重計は、病院、施設等に常置して使用されるものであって、外部に持ち出して使用することは、殆ど予定されていない。
【０００３】
最近では、介護施設が完備された施設に入らずに、簡易な施設、或いは自宅で訪問看護を受ける下肢障害者がおり、訪問看護のメニューの一つとして、体重の測定（計重）がある。また上記した常置型の椅子型体重計は、全体が一体型となっていて、運搬が困難であるために看護現場等に持ち込むこともできない。
【０００４】
このため、訪問看護現場等において下肢障害者の体重の測定は、二人以上の看護者が当該下肢障害者を抱き抱えて、既存の体重計に載せて、当該体重計に対する下肢障害者の起立姿勢の維持は、複数の看護者が支えて行っていた。従って、下肢障害者の体重の測定に複数の介護者を必要とする重労働であるのに加えて、計重時に、複数の看護者が下肢障害者を支えているために、測定された体重値は、真の体重値に対して増減した値であるため、測定の信頼性に欠けるという問題もあった。
【先行技術文献】
【特許文献】
【０００５】
【特許文献１】特開２００６−５８１６３号公報
【発明の概要】
【発明が解決しようとする課題】
【０００６】
本発明は、訪問看護現場等に分解状態で運搬して、当該現場等で組み立てることにより、主として下肢障害者の体重を座位姿勢で計重可能にすることを課題としている。
【課題を解決するための手段】
【０００７】
上記課題を解決するための請求項１の発明は、座位姿勢で被計重者の体重を計重するための椅子型体重計であって、複数本の脚体で支持された支持台の上面に計重器が一体に取付けられていると共に、当該計重器の上面に連結板が一体に取付けられた体重計本体と、上面に椅子が一体に取付けられて、前記体重計本体の連結板を除く部材に接触することなく、当該連結板に対して第１連結手段を介して着脱可能に連結される椅子取付け体と、前記体重計本体に接触することなく、前記椅子取付け体に対して第２連結手段を介して着脱可能に連結されて、当該椅子取付け体に取付けられた椅子に座位した被計重者の両足を支持するための足載せ体とから成ることを特徴としている。
【０００８】
請求項１の発明によれば、体重計本体の計重器の上面の連結板に対して第１連結手段を介して椅子取付け体を取付けると共に、当該椅子取付け体に対して第２連結手段を介して足載せ体を取付けた状態で、前記椅子取付け体に取付けられた椅子に被計重者が座位して、両足を前記足載せ体に載せて支持させると、被計重者の全体重が前記連結板を介して前記計重器に作用して、当該被計重者の体重が計重される。また、第１及び第２の各連結手段を解除すると、体重計本体と椅子取付け体と足載せ体との計３つの各部材に分解されて、運搬が容易となり、訪問看護現場等において、前記３つの部材を組み立てて、下肢障害者の体重を座位姿勢で計重する。
【０００９】
このように、請求項１の発明に係る椅子型体重計は、体重計本体と、椅子取付け体と、足載せ体との３つの部材に分解できるので、運搬が容易になると共に、訪問看護現場等において、前記した３つの部材を組み立てることにより、下肢障害者の体重を座位姿勢で計重可能となる。また、下肢障害者の体重測定に際しては、車椅子に対して下肢障害者を載せるのと同様に、請求項１に係る椅子型体重計の椅子に対して下肢障害者を載せて座位させるのみでよいので、必要な看護者の数が少なくなり、下肢障害者の体重が少なかったり、障害の程度が低い場合には、一人の介護者による体重測定も可能となる。
【００１０】
請求項２の発明は、請求項１の発明において、前記体重計本体の支持台の複数本の脚体は、折り畳み可能であることを特徴としている。
【００１１】
請求項２の発明によれば、体重計本体の支持台の複数本の脚体が折り畳まれるので、分解状態において、当該体重計本体が一層コンパクトとなって、嵩張らなくなるので、運搬が一層容易となる。
【００１２】
請求項３の発明は、請求項１又は２の発明において、前記体重計本体における椅子の背後には、計重器で計重された体重を表示する表示器が取付けられていることを特徴としている。
【００１３】
請求項３の発明によれば、椅子と干渉することなく、体重計本体に表示器が取付けられているので、下肢障害者が椅子に座位する際に、前記表示器が損傷される恐れもなくなって、下肢障害者の体重を即座に表示できる。
【００１４】
また、請求項４の発明は、請求項１ないし３のいずれかの発明において、前記第１連結手段は、先端側が等脚台形状に形成された体重計本体の連結板と、前記椅子取付け体の基板に対する体重計本体の連結板の前後方向及び幅方向の二方向の位置決めを行うために、前記基板の裏面に、前記連結板の先端側の等脚台形状に対応したハの字形となって取付けられた位置決め体と、体重計本体の連結板に一体に取付けられて、当該位置決め体により椅子取付け体の基板に対する体重計本体の連結板の前記二方向の位置決めが行われた状態で、前記基板の位置決め固定孔に対してプランジャピンが挿入されるプレスプランジャとを備えていることを特徴としている。
【００１５】
請求項４の発明によれば、上面に椅子が取付けられた椅子取付け体を、体重計本体の連結板に対して後方に移動させると、当該連結板の先端部の等脚台形状の部分が、前記椅子取付け体の裏面のハの字形の位置決め体に対して相対的に嵌め込まれて、当該連結板に対して椅子取付け体の前後方向、及び幅方向の二方向の位置決めが行われ、この状態において、連結板に取付けられプレスプランジャを作動させて、そのプランジャピンを椅子取付け体の位置決め固定孔に挿入させると、椅子取付け体は、連結板に対して前記二方向の位置決めが行われた状態で固定される。このように、上面に椅子が取付けられた椅子取付け体は、体重計本体の連結板に対してワンタッチで位置決めして固定できる。また、体重計本体と椅子取付け体とを分解するには、上記と逆の操作を行えばよい。即ち、プレスプランジャのプランジャピンを引っ込めた状態で、連結板に対して椅子取付け体を前方にスライドさせるのみでよいので、体重計本体と椅子取付け体との分解もワンタッチで行える。
【００１６】
また、請求項５の発明は、請求項１ないし３のいずれかの発明において、前記第２連結手段は、椅子取付け体を構成する基板の裏面に幅方向に所定間隔をおいて前後方向に沿って一体に取付けられて、前端部のみが下方に傾斜した連結溝が形成された一対の固定連結板と、同じく前端部のみが下方に傾斜した連結溝が形成されて、前記一対の固定連結板の連結溝に複数本の連結ピンを介して連結される一対の第１スライド連結板と、当該一対の第１スライド連結板の連結溝の前端部の傾斜部に複数本の連結ピンを介して連結されて、足載せ体を構成する左右一対の足載せ体単体を連結する２本の連結バーを挿入して連結する２本の連結溝が先端上半部に上下方向に形成された一対の第２スライド連結板とから成ることを特徴としている。
【００１７】
請求項５の発明によれば、計重時には、一対の第１スライド連結板を一対の固定連結板の連結溝の前端部の傾斜部分に配置して、先端が下がった姿勢にすると共に、一対の第２スライド連結板を一対の第１スライド連結板の連結溝の先端の傾斜部分に配置して、先端が下がった姿勢にして、当該一対の第２スライド連結板の先端の２本の連結溝に足載せ体の２本の連結バーを挿入して連結すると、椅子取付け体の一対の固定連結板に対して第１及び第２の各スライド連結板を介して足載せ体が椅子の座部の斜前下方に空中配置される。このように、第１及び第２の各スライド連結板がいずれも傾斜配置されるので、１ないし複数の看護者が下肢障害者を抱き抱えてベッド等から体重計に移動させて載せる際に、当該下肢障害者に対する引っ掛かり部分がなくなって、下肢障害者の体重計への移動が容易となる。一方、運搬時には、一対の第２スライド連結板から足載せ体を取り外した後に、一対の第１スライド連結板を一対の固定連結板の連結溝の一般水平部に配置すると共に、一対の第２スライド連結板を一対の第１スライド連結板の連結溝の一般水平部に配置することにより、第１及び第２の各スライド連結板の計３枚の連結板は、固定連結板に重ね合わせられた状態で折り畳まれて収納される。このように、椅子取付け体に対する足載せ体の組み付け、及び分解もワンタッチで行えると共に、分解状態では、椅子取付け体が嵩張らない状態で、体重計本体及び足載せ体の双方から分離されるため、運搬、及び組付けの双方が容易となる。
【発明の効果】
【００１８】
本発明に係る椅子型体重計によれば、体重計本体の計重器の上面の連結板に対して第１連結手段を介して椅子取付け体を取付けると共に、当該椅子取付け体に対して第２連結手段を介して足載せ体を取付けた状態で、前記椅子取付け体に取付けられた椅子に被計重者が座位して、両足を前記足載せ体に載せて支持させると、被計重者の全体重が前記連結板を介して前記計重器に作用して、当該被計重者の体重が計重されると共に、第１及び第２の各連結手段を解除すると、体重計本体と椅子取付け体と足載せ体との計３つの各部材に分解されて、運搬が容易となる。このように、本発明に係る椅子型体重計によれば、体重計本体と、椅子取付け体と、足載せ体との３つの部材に分解できるので、運搬が容易になると共に、訪問看護現場等において、前記した３つの部材を組み立てることにより、下肢障害者の体重を座位姿勢で計重可能となる。
【図面の簡単な説明】
【００１９】
【図１】本発明に係る椅子型体重計の斜視図である。
【図２】同じく分解斜視図である。
【図３】同じく平面図である。
【図４】同じく側面図である。
【図５】（ａ），（ｂ）は、それぞれ体重計本体Ａの折畳み前後の斜視図である。
【図６】（ａ）は、脚体１が折り畳まれた状態の側面図であり、（ｂ）は、（ａ）のＸ−Ｘ線拡大断面図である。
【図７】椅子取付け体Ｂに対する椅子Ｃの取付け状態を示す斜視図である。
【図８】（ａ），（ｂ）は、それぞれ椅子取付け体Ｂの折畳み前後の斜視図である。
【図９】足載せ体Ｄの分解斜視図である。
【図１０】足載せ体Ｄの支持バー４４と連結パイプ体４９との連結部の拡大横断面図である。
【図１１】（ａ），（ｂ）は、それぞれ体重計本体Ａと椅子取付け体Ｂとの分離状態、及び連結状態の平面断面模式図である。
【図１２】（ａ），（ｂ）は、それぞれ同様の状態の図１１（ａ），（ｂ）のＹ−Ｙ線断面図である。
【図１３】（ａ），（ｂ）は、それぞれ椅子取付け体Ｂを構成する第２連結手段Ｊ2 の折畳み状態、及び分解状態の側面図である。
【図１４】（ａ），（ｂ）は、それぞれ固定連結板３１に対して第１及び第２の各スライド連結板３２，３３を重ね合わせて収納させた状態の側面図、及び模式的横断面図である。
【図１５】分解された体重計本体Ａ、椅子取付け体Ｂ及び足載せ体Ｄを、運搬車両８１の後部の荷物席に載せて運搬する状態を示す斜視図である。
【図１６】体重計本体と椅子取付け体とを連結する別の第１連結手段の斜視図である。
【図１７】体重計本体と椅子取付け体とを連結する更に別の連結手段の部分斜視図である。
【図１８】体重計本体と椅子取付け体とを連結する更に別の連結手段の部分斜視図である。
【発明を実施するための形態】
【００２０】
以下、図１〜図１０を参照して、本発明の実施例について説明する。図１は、本発明に係る椅子型体重計の斜視図であり、図２は、同じく分解斜視図であり、図３は、同じく平面図であり、図４は、同じく側面図であり、図５（ａ），（ｂ）は、それぞれ体重計本体Ａの折畳み前後の斜視図であり、図６（ａ）は、脚体１が折り畳まれた状態の側面図であり、同（ｂ）は、同（ａ）のＸ−Ｘ線拡大断面図であり、図７は、椅子取付け体Ｂに対する椅子Ｃの取付け状態を示す斜視図であり、図８（ａ），（ｂ）は、それぞれ椅子取付け体Ｂの折畳み前後の斜視図であり、図９は、足載せ体Ｄの分解斜視図であり、図１０は、足載せ体Ｄの支持バー４４と連結パイプ体４９との連結部の拡大横断面図である。
【００２１】
本実施例の椅子型体重計は、図１〜図４に示されるように、４本の脚体１で支持された支持台２の上面に計重器３が一体に取付けられ、当該計重器３の上面に連結板４が複数本のボルト２０を介して一体に取付けられた体重計本体Ａと、上面に椅子Ｃが一体に取付けられて、当該体重計本体Ａの連結板４を除く部分に接触することなく、当該連結板４に対して第１連結手段Ｊ1 を介して着脱可能に連結される椅子取付け体Ｂと、前記体重計本体Ａに接触することなく、前記椅子取付け体Ｂに対して第２連結手段Ｊ2 を介して着脱可能に連結されて、当該椅子取付け体Ｂのベース板２１に取付けられた椅子Ｃに座位した被計重者である下肢障害者Ｍの両足を載せて支持するための足載せ体Ｄとから成る。
【００２２】
体重計本体Ａの支持台２は、４本の枠材５を方形状に仮配置させた方形枠体１０の各コーナー部に４本の脚体取付け材６を、前記方形枠体１０の対角線の延長線上に配置させた状態で、前記した４本の枠材５と同数の脚体取付け材６を一体に組み付けた構成である。支持台２の上面には、支持板７を介して計重器Ｓが一体に取付けられて、当該計重器Ｓの上面には、連結板４が一体に取付けられている。また、図５及び図６に示されるように、支持台２を構成する各脚体取付け材６の先端部の下面には、長さの短いヒンジ連結材８がそれぞれ一体に取付けられて、各ヒンジ連結材８に脚体１の上端部がヒンジピン９を介して折畳み可能に連結されている。脚体取付け材６の長手方向の中央部の下面に取付けられたリンク連結部１１と、脚体１の長手方向の中央部の内側に設けられたリンク連結部１２とは、折畳み可能な一対の連結リンク１３ａ，１３ｂで連結されている。一対の連結リンク１３ａ，１３ｂが折り畳まれた状態で、即ち、脚体１が折り畳まれた状態で、一方の連結リンク１３ａの長手方向の中央部に設けられたボール式プレスプランジャ１４のプランジャボール１４ａが付勢力により突出して、他方の連結リンク１３ｂに設けられた嵌合凹部１５に部分嵌合されることにより、一対の連結リンク１３ａ，１３ｂの折畳み状態が維持される。なお、一対の連結リンク１３ａ，１３ｂは、内側にのみ折畳みが可能なように、連結リンク１３ｂにおける別の連結リンク１３ａとの連結部に折畳み方向規制板１３ｂ1 が一体に設けられている。ボール式プレスプランジャ１４のプランジャボール１４ａの突出しようとする付勢力に抗して、折畳まれた一対の連結リンク１３ａ，１３ｂを拡開させると、ボール式プレスプランジャ１４のプランジャボール１４ａは、付勢力に抗して僅かに引っ込められて、前記拡開が可能となる。なお、前記計重器３は、ロードセルの歪みを利用して物体の重量を測定する機器である。
【００２３】
また、連結板４の前後方向に沿った前半部は、等脚台形状の位置決め部４ａとなっていて、当該位置決め部４ａは、第１連結手段Ｊ1 を構成している。連結板４における後端部であって、しかも幅方向の両端部の下面には、第１連結手段Ｊ1 を構成する一対のピン式プレスプランジャ１６が取付けられている。体重計本体Ａに椅子取付け体Ｂが取付けられた状態において、椅子Ｃの背面側に配置された２本の脚体取付け材６には、左右一対となった一組のステー１７ａ，１７ｂを介して表示器１８が取付けられている。当該表示器１８は、計重器Ｓで計重（測定）された値を表示する。当該表示器１８は、上記位置に配置されるので、椅子Ｃとは干渉しない。また、方形枠体１０を構成していて、前後方向に沿って配置された２本の枠材５の一方の外側面には、４本の脚体１を折り畳んだ状態で運搬する際に、人手により持って吊り下げることが可能な把手１９が取付けられている。なお、表示器１８の電源は、商用電源、及びバッテリーのいずれでもよく、後者のバッテリーの場合には、当該バッテリーは、表示器１８のケース内に収容される。また、計重器Ｓの電源は、表示器１８の電源を共用している。このため、図示されていないが、計重器Ｓと表示器１８との間には、計重器Ｓの電源線、当該計重器Ｓで測定されたデータを電圧信号等に変換して、表示器１８の側に伝達する信号線等で連結されている。
【００２４】
次に、図１、図２、図７、図８、図１１〜図１４を主体に参照して、椅子取付け体Ｂについて説明する。図１１（ａ），（ｂ）は、それぞれ体重計本体Ａと椅子取付け体Ｂとの分離状態、及び連結状態の平面断面模式図であり、図１２（ａ），（ｂ）は、それぞれ同様の状態の図１１（ａ），（ｂ）のＹ−Ｙ線断面図であり、図１３（ａ），（ｂ）は、それぞれ椅子取付け体Ｂを構成する第２連結手段Ｊ2 の折畳み状態、及び分解状態の側面図であり、図１４（ａ），（ｂ）は、それぞれ固定連結板３１に対して第１及び第２の各スライド連結板３２，３３を重ね合わせて収納させた状態の側面図、及び模式的横断面図である。椅子取付け体Ｂは、ベース板２１の上面に椅子Ｃが一体に取付けられて、第２連結手段Ｊ2 を介して足載せ体Ｄを連結して、当該足載せ体Ｄを前記椅子Ｃの斜前下方に配置可能にするためのものである。前記ベース板２１の上面に椅子Ｃの座部９１が配置されて、当該座部９１の裏面に設けられた枠体９２が前記ベース板２１に対して複数本のビス９３を介して一体に取付けられる。
【００２５】
椅子取付け体Ｂは、第１連結手段Ｊ1 を介して体重計本体Ａに分解可能に連結されて組み付けられる。第１連結手段Ｊ1 は、体重計本体Ａの計重器Ｓの上面に一体に取付けられて、前半部が等脚台形状の位置決め部４ａとなっている連結板４と、当該連結板４の位置決め部４ａの等脚台形状に対応していて、椅子取付け体Ｂのベース板２１の裏面にハの字形となって取付けられた一対の位置決め体２２とで構成される。一対の位置決め体２２は、ハの字状となった位置決め主体部２２ａと、各位置決め主体部２２ａの前端に設けられて、体重計本体Ａの連結板４の位置決め部４ａの先端面を当接させて、前後方向Ｐの位置決めを確実とする当接部２２ｂとで構成される。また、位置決め体２２は、体重計本体Ａの連結板４の位置決め部４ａが収容されることにより、当該連結板４に対して椅子取付け体Ｂのベース板２１が大きく分離されるのを阻止する拘束板部２２ｃが設けられている。そして、図１１（ａ），（ｂ）に示されるように、体重計本体Ａの連結板４に椅子取付け体Ｂのベース板２１を載せた状態で、体重計本体Ａに対して椅子取付け体Ｂを前後方向Ｐに沿って後退させると、体重計本体Ａの連結板４の前半部の位置決め部４ａが椅子取付け体Ｂの一対の位置決め体２２の間に相対的に嵌まり込んで、当該連結板４の位置決め部４ａの先端面が一対の位置決め体２２の当接部２２ｂに当接した後は、体重計本体Ａに対して椅子取付け体Ｂは後退不能となる。これにより、体重計本体Ａに対して椅子取付け体Ｂの前後方向Ｐ及び幅方向Ｑの双方の位置決めが行われる。また、椅子取付け体Ｂのベース板２１の裏面には、体重計本体Ａの連結板４の上面に椅子取付け体Ｂのベース板２１を載せた状態で、体重計本体Ａに対して椅子取付け体Ｂが大きく前方向に移動して、連結板４から外れるのを防止する一対のストッパ板２３が取付けられている。
【００２６】
また、体重計本体Ａに対して椅子取付け体Ｂが前後方向Ｐ及び幅方向Ｑの双方に沿って位置決めされた状態において、椅子取付け体Ｂのベース板２１における体重計本体Ａの連結板４に取付けられた一対のピン式プレスプランジャ１６に対応する位置には、一対の位置決め固定孔２４（図１２参照）が設けられている。上記位置決め状態では、体重計本体Ａの連結板４に設けられた一対のピン式プレスプランジャ１６と、椅子取付け体Ｂのベース板２１に設けられた一対の位置決め固定孔２４とが合致して、ピン式プレスプランジャ１６のプランジャピン１６ａが位置決め固定孔２４に挿入されて、上記位置決め状態で、体重計本体Ａの連結板４に対して椅子取付け体Ｂのベース板２１が固定されて、体重計本体Ａに対して椅子取付け体Ｂが組み付けられる。逆に、体重計本体Ａに対して椅子取付け体Ｂが組み付けられた状態において、一対のピン式プレスプランジャ１６のプランジャピン１６ａを引っ込めた状態で、体重計本体Ａに対して椅子取付け体Ｂを前方向に移動させると、両者Ａ，Ｂが簡単に分解される。
【００２７】
次に、椅子取付け体Ｂに対して足載せ体Ｄを連結する第２連結手段Ｊ2 について説明する。第２連結手段Ｊ2 は、椅子取付け体Ｂのベース板２１の裏面における幅方向Ｑの両端部に前後方向Ｐに沿って固定された一対の固定連結板３１と、当該一対の固定連結板３１に対して前後方向にスライド可能となって連結される一対の第１スライド連結板３２と、当該一対の第１スライド連結板３２に対して前後方向にスライド可能に連結される一対の第２スライド連結板３３とで構成される。
【００２８】
固定連結板３１と第１スライド連結板３２との連結構造、及び第１スライド連結板３２と第２スライド連結板３３との連結構造は、いずれも組付け状態で後方に配置される連結板に形成された連結溝に対して前方に配置される連結板に設けられた前後２本の連結ピンを介して連結される点で共通していると共に、分解状態において、互いに重ね合わせられる２つの連結板は、上記したボール式プレスプランジャ１４と同一の部材を用いて、スライド方向（前後方向Ｐ）にスライドしないように固定してある点においても共通している。固定連結板３１には、前後方向Ｐに沿って第１連結溝３４が形成されており、当該第１連結溝３４の前端部のみは、斜下方に向けて傾斜した傾斜連結溝部３４ａとなっていて、固定連結板３１と第１スライド連結板３２とは、第１スライド連結板３２の中央部及び後端部にそれぞれ設けられた２本の第１連結ピン３５を介して互いに連結されている。このため、図８（ａ）及び図１３に示されるように、前側の第１連結ピン３５が固定連結板３１の傾斜連結溝部３４ａの形成端に達すると、固定連結板３１に対して第１スライド連結板３２は、前端が下がった状態で傾斜して固定連結板３１に連結された状態を維持する。全く同様に、第１スライド連結板３２には、傾斜連結溝部３６ａを備えた第２連結溝３６が形成されていて、第１及び第２の各スライド連結板３２，３３は、当該第１スライド連結板３２の後端部及び中央部に設けられた２本の第２連結ピン３７を介して互いに連結されていて、前側の第２連結ピン３７が第２連結溝３６の形成端に達すると、第１スライド連結板３２に対して第２スライド連結板３３は、前端が下がった状態で傾斜して連結された状態を維持する。
【００２９】
また、一対の固定連結板３１の外側にそれぞれ一対の第１スライド連結板３２が配置されて互いに連結され、更に一対の第１スライド連結板３２の外側に一対の第２スライド連結板３３が配置されて互いに連結されている。そして、固定連結板３１に対して第１スライド連結板３２を、後側の第１連結ピン３５が固定連結板３１の第１連結溝３４の形成端に当接するまでスライドさせると共に、第１スライド連結板３２に対して第２スライド連結板３３を、後側の第２連結ピン３７が第１スライド連結板３２の第２連結溝３６の形成端に当接するまでスライドさせて、計３枚の連結板３１，３２，３３を互いに重ね合わせて収容した状態において、互いに重なり合っている連結板は、ボール式プレスプランジャ３８，３９により、スライド不能に固定されて、当該重なり状態が維持される。これにより、椅子取付け体Ｂを分解状態で運搬する場合においても、互いに連結されている計３枚の連結板３１，３２，３３が前方にスライドして突出しなくなって、安定した運搬が可能となる。
【００３０】
また、図１、図２、及び図８に示されるように、椅子Ｃは、座部９１と、背もたれ部９４と、左右一対の肘掛け部９５とを備えていて、背もたれ部９４、及び左右一対の肘掛け部９５は、座部９１に対して折畳み可能となっており（図８参照）、第２連結手段Ｊ2 を構成する計３枚の連結板３１，３２，３３を互いに重ね合わせると共に、上記のように椅子Ｃを折畳んだ状態で、椅子取付け体Ｂを運搬する際に便利なように、ベース板２１の幅方向の両端部には、両側方に突出して把手４１が設けられている。
【００３１】
次に、図１、図４及び図９を参照して、椅子取付け体Ｂに第２連結手段Ｊ2 を介して連結される足載せ体Ｄについて説明する。足載せ体Ｄは、左右一対の足載せ体単体４２と、当該一対の足載せ体単体４２を連結する連結バー体４３とから成る。一対の足載せ体単体４２は、左右対称形状であって、支持バー４４の先端部がわん曲された取付け部４４ａとなっていて、当該支持バー４４の取付け部４４ａに足載せ枠４５を回動可能に支持するための足載せ枠支持具４６が一体に取付けられている。足載せ枠支持具４６は、支持具本体４６ａに対して回動体４６ｂが回動可能に支持されて、当該回動体４６ｂに足載せ枠４５が一体に取付けられている。足載せ枠支持具４６の支持具本体４６ａと回動体４６ｂとの対向部には、それぞれ永久磁石４７ａ，４７ｂが取付けられていて、図９で２点鎖線で示されるように、運搬時において、足載せ枠支持具４６の回動体４６ｂを支持具本体４６ａの側に回動させて、足載せ枠４５を起立させて折り畳んだ状態で、前記各永久磁石４７ａ，４７ｂが互いに吸着し合って、足載せ枠４５の折畳み状態を保持し得るようにしてある。
【００３２】
また、連結バー体４３は、所定の間隔をおいた２本の連結バー４８の両端部が連結パイプ体４９で連結された構成である。連結パイプ体４９の内径は、前記支持バー４４の外径よりも僅かに大きくて、連結パイプ体４９に支持バー４４が挿入可能となっている。連結パイプ体４９における２本の連結バー４８の間には、１つの連結孔５１が明けられており、左右一対の支持バー４４における足載せ枠支持具４６が取付けられている側と反対の側には、長手方向に沿って所定間隔をおいて複数本の連結孔５２が明けられている。このため、連結バー体４３の各連結パイプ体４９に、各足載せ体単体４２の支持バー４４を挿入して、当該連結パイプ体４９の外側に連結具５３を嵌着すると、当該連結具５３の内側に設けられた連結ピン５４が、互いに合致した連結パイプ体４９の連接孔５１と支持バー４４の連結孔５２とに挿通されて、左右一対の足載せ体単体４２が連結バー体４３を介して連結される。支持バー４４に設けられた複数の連結孔５２の選択により、椅子Ｃに対する一対の足載せ枠４５の離間長を調整できる。また、連結バー体４３を構成する２本の連結バー４８における幅方向の中心に対して対称位置には、それぞれ規制板５５が取付けられている。当該各規制板５５は、椅子取付け体Ｂに取付けられた第２連結手段Ｊ2 を構成する第２スライド連結板３３の先端部の第１及び第２の各連結溝７１，７２に、連結バー体４３の各連結バー４８を挿入することにより、前記第２スライド連結板３３の先端部に足載せ体Ｄを連結して、吊下げ状態で組み付けた場合において、前記第２スライド連結板３３に対して足載せ体Ｄが幅方向にスライドしてしまうが、左右一対の第２スライド連結板３３の内側に配置される前記各規制板５５により、当該スライドが阻止されて、椅子取付け体Ｂに対して足載せ体Ｄが幅方向Ｑにずれなくなる。
【００３３】
ここで、第２スライド連結板３３の先端部（自由端部）には、第１及び第２の各連結溝７１，７２が長手方向と直交する方向に沿って形成されており、先端側の第１連結溝７１は、第２スライド連結板３３の長手方向とほぼ直交する方向に沿って所定深さまで形成されているが、奥側の第２連結溝７２は、側面視でわん曲Ｌ字状に形成されている。第１及び第２の各連結溝７１，７２が上記形状になっているために、足載せ体Ｄを構成する２本の連結バー４８のうち、足載せ枠４５から見て遠い側の連結バー４８を、第２スライド連結板３３の奥側の第２連結溝７２の形成端まで挿入した状態で、他方の連結バー４８を手前側の第１連結溝７１に挿入させると、奥側の第２連結溝７２に挿入された連結バー４８は、当該第２連結溝７２における長手方向に沿った部分に入り込んでいて、足載せ体Ｄに加わる荷重は、当該足載せ体Ｄが第２スライド連結板３３から外れないように作用するために、第２スライド連結板３３に対して足載せ体Ｄは、特定の姿勢で連結される。
【００３４】
また、椅子取付け体Ｂの第２連結手段Ｊ2 を構成する第２スライド連結板３３から足載せ体Ｄを取り外して分解するには、上記とは逆に、足載せ枠４５から見て近い側の連結バー４８を、第２スライド連結板３３の第１連結溝７１から脱出させた後に、他方の連結バー４８を第２連結溝７２から脱出させることにより、容易に行える。更に、分解された足載せ体Ｄは、更に３つの部分に分解した状態で運搬を行う。即ち、左右一対の連結具５３を取り外すと、左右一対の足載せ体単体４２と連結バー体４３とに分解され、各足載せ体単体４２は、足載せ枠４５を起立させることにより、更にコンパクト化される。このようにして、足載せ体Ｄを更に分解した状態で、運搬車両８１の後部に載せた状態が、図１５に示されている。
【００３５】
そして、体重計本体Ａと椅子取付け体Ｂと足載せ体Ｄとを組み立てて、訪問看護現場等において、主として下肢障害者Ｍの体重を測定可能にするには、以下のようにして行う。なお、体重計本体Ａと椅子取付け体Ｂとの組み立て、及び分解構造、並びに椅子取付け体Ｂと足載せ体Ｄとの組み立て、及び分解構造の詳細は、上記において詳細に記述したので、組み立ての全体の観点から簡単に説明する。
【００３６】
訪問看護現場等には、体重計本体Ａと椅子取付け体Ｂと足載せ体Ｄとの３つの部材に分解された状態で運搬されて、搬入される。まず、図５（ｂ）に示されるように、体重計本体Ａの各脚体１が折り畳まれて脚体取付け材６と重なり合っている状態において、当該脚体取付け材６に対して脚体１に大きな力を加えて拡開させると、ボール式プレスプランジャ１４による２本の連結リンク１３ａ，１３ｂの仮連結が解除されて、２本の連結リンク１３ａ，１３ｂが直線的に配置されることにより、図５（ａ）に示されるように、計４本の脚体取付け材６の先端部（自由端部）に脚体１がそれぞれ直角となって配置される。
【００３７】
次に、図８（ｂ）に示されるように、椅子取付け体Ｂの左右一対の第２連結手段Ｊ2 を構成する計３枚の連結板３１，３２，３３が、２つのボール式プレスプランジャ３８，３９により互いにスライドして突出しないように仮連結された状態にしたままで、当該椅子取付け体Ｂを体重計本体Ａの連結板４の上方に配置する。具体的には、図１１（ａ）に示されるように、椅子取付け体Ｂのベース板２１の左右両端に設けられた一対の把手４１により、当該椅子取付け体Ｂを持ち上げた状態で、椅子取付け体Ｂのベース板２１の裏面に一体に取付けられている一対の位置決め体２２と一対のストッパ板２３との間に体重計本体Ａの連結板４を配置させて、この状態で、椅子取付け体Ｂの持ち上げを解除して、椅子取付け体Ｂの全体を前記連結板４に支持させる。次に、体重計本体Ａに対して椅子取付け体Ｂを後方にスライド（移動）させると、体重計本体Ａの連結板４の前半部の位置決め部４ａが、椅子取付け体Ｂのベース板２１の裏面の一対の位置決め体２２の間に入り込んで、当該連結板４の位置決め部４ａの両側端面が一対の位置決め体２２の位置決め主体部２２ａに当接すると共に、当該位置決め部４ａの先端面が、ベース板２１の一対の位置決め体２２の当接部２２ｂに当接することにより、体重計本体Ａの連結板４に対する椅子取付け体Ｂのベース板２１の前後方向Ｐ及び幅方向Ｑの各位置決めが行われる〔図１１（ｂ）〕。また、連結板４の位置決め部４ａの両側端部が、ベース板２１と、当該ベース板２１に一体に取付けられた位置決め体２２の拘束板部２２ｃの間に入り込むことにより、当該連結板４とベース板２１との相対的な離間が防止されて、当該連結板４とベース板２１とが一体化される。即ち、体重計本体Ａと椅子取付け体Ｂとが一体化される。この状態においては、図１２（ｂ）に示されるように、体重計本体Ａの連結板４の裏面に垂直に取付けられた左右一対のピン式プレスプランジャ１６のプランジャピン１６ａが、椅子取付け体Ｂのベース板２１の左右一対の位置決め固定孔２４にそれぞれ挿入されて、連結板４に対してベース板２１が前記２方向Ｐ，Ｑに位置決めされた状態で、当該連結板４とベース板２１とが一体に固定される。
【００３８】
上記のようにして、体重計本体Ａに対して椅子取付け体Ｂが前後方向Ｐ及び幅方向Ｑの双方の位置決めが行われた状態で、体重計本体Ａの連結板４と椅子取付け体Ｂのベース板２１とが、前記２方向Ｐ，Ｑ及び上下方向に移動しないように互いに連結されて、体重計本体Ａに対して椅子取付け体Ｂが組み立てられる。この組立て状態において、椅子取付け体Ｂは、体重計本体Ａの連結板４以外の部分には、一切接触していないために、下肢障害者Ｍの体重の測定が可能となる。
【００３９】
次に、互いに仮連結されている計３枚の連結板３１，３２，３３のうち、第１及び第２の各スライド連結板３２，３３を前方に強く引き出すと、ボール式プレスプランジャ３８，３９の各プランジャボール３８ａ，３９ａがそれぞれ引っ込められて、図８（ａ）に示されるように、固定連結板３１に対して第１スライド連結板３２が斜下方に向けて傾斜した状態で最大に引き出されると共に、第１スライド連結板３２に対して第２スライド連結板３３が斜下方に向けて傾斜した状態で最大に引き出される。
【００４０】
次に、上記したように、足載せ体Ｄを構成する左右一対の足載せ体単体４２と連結バー体４３とを左右一対の連結具５３により連結して、足載せ体Ｄとして組み立てる。組み立てられた足載せ体Ｄの２本の連結バー４８のうち足載せ枠４５からの離間長の大きな側の連結バー４８を、わん曲Ｌ字状の側面形状を有する第２スライド連結板３３の第２連結溝７２の形成端まで挿入すると、他方の連結バー４８は、自動的に第２スライド連結板３２の第２連結溝７２に挿入されて、足載せ体Ｄの全体が、椅子取付け体Ｂに設けられた第２連結手段Ｊ2 を構成する第２スライド連結板３３に対して支持されて、椅子取付け体Ｂを構成する左右一対の足載せ枠４５は、椅子取付け体Ｂに取付けられた椅子Ｃの座部９１の斜前下方に空中配置される。足載せ体Ｄは、椅子取付け体Ｂの左右一対の第２スライド連結板３３に支持された状態において、当該左右一対の第２スライド連結板３３以外の部分には、一切接触しない状態で、足載せ体Ｄの全体が空中配置されているため、下肢障害者Ｍの体重の測定が可能となる。
【００４１】
このように、本発明に係る椅子型体重計は、別体の連結具を一切使用せずに、しかもワンタッチで、体重計本体Ａと椅子取付け体Ｂと足載せ体Ｄとの計３つの部材を瞬時に組み立てられる点において、組立て自体が極めて容易である。なお、ベッド上の下肢障害者を本発明に係る椅子型体重計に移して座位させるには、当該ベッドの側方に本発明に係る椅子型体重計を配置させて、図１で２点鎖線で示されるように、椅子Ｃの双方の肘掛け部９５を背もたれ部９４の側に起立させた状態で、１ないし複数の看護者により、ベッド上の下肢障害者を体重計の椅子Ｃに移し、座位後に、各肘掛け部９５を水平位置に戻す。
【００４２】
そして、図１及び図４に示されるように、椅子Ｃの背もたれ部９４及び肘掛け部９５を起立させた状態で、当該椅子Ｃに下肢障害者Ｍが座位すると共に、その両足を、足載せ体Ｄの左右一対の足載せ枠４５に載せると、当該下肢障害者Ｍの全体重が計重器Ｓに作用して、計重が可能となる。具体的な体重値は、椅子Ｃの背面に配置された表示器１８に表示されるので、即座に分かる。なお、計重器Ｓは、椅子取付け体Ｂ及び足載せ体Ｄの各重量を含めて下肢障害者Ｍの体重が測定されるが、椅子取付け体Ｂ及び足載せ体Ｄの各重量は既知であるので、計重器Ｓの真の測定値から、椅子取付け体Ｂ及び足載せ体Ｄの各重量を減じて表示器１８に表示してある。
【００４３】
訪問看護現場等において体重計の使用後においては、上記と逆の順序で、体重計本体Ａと椅子取付け体Ｂと足載せ体Ｄとの３つの部材を分解する。まず、椅子Ｃの背もたれ部９４及び肘掛け部９５を倒した状態にして、足載せ体Ｄを第２スライド連結板３３に対して斜前上方に持ち上げると、足載せ体Ｄの足載せ枠４５に近い側の連結バー４８が第２スライド連結板３３の第１連結溝７１から取り外された後に、別の連結バー４８が第２連結溝７２から取り外されて、椅子取付け体Ｂに対して足載せ体Ｄが分解される。分解された足載せ体Ｄは、左右一対の連結具５３を取り外すことにより、左右一対の足載せ体単体４２と連結バー体４３とに更に分解され、足載せ体単体４２の足載せ枠４５を足載せ枠支持具４６の側に起立させて、永久磁石４７ａ，４７ｂの吸着により、運搬中においても、足載せ枠４５と足載せ枠支持具４６とが分離しなくなって、足載せ枠単体４２が嵩張らない状態で運搬可能となる。
【００４４】
また、体重計本体Ａと椅子取付け体Ｂとを分解するには、体重計本体Ａの連結板４の裏面側に取付けられた左右一対のピン式プレスプランジャ１６のプルロッド１６ｂを下方に引っ張って、椅子取付け体Ｂのベース板２１の位置決め固定孔２４からプランジャピン１６ａを脱出させた状態で、体重計本体Ａに対して椅子取付け体Ｂを前方にスライドさせると、連結板４の位置決め部４ａは、ベース板２１の裏面の一対の位置決め体２２の拘束板部２２ｃから脱出される。この状態で、体重計本体Ａと椅子取付け体Ｂとは分離されて、左右一対の把手４１を把持して、体重計本体Ａに対して椅子取付け体Ｂを上方に持ち上げると、体重計本体Ａと椅子取付け体Ｂとが分解される。体重計本体Ａの各脚体１は、内方に折り畳んで、脚体取付け材６と重ね合わせにする。
【００４５】
このように、本発明に係る椅子型体重計は、体重計本体Ａと椅子取付け体Ｂと足載せ体Ｄとの計３つの部材を連結具を一切使用せずに、組み立てられているために、分解に際しては、上記した３つの部材にワンタッチで分解できる。
【００４６】
そして、訪問看護等を終えたならば、図１５に示されるように、体重計本体Ａの場合には、一方の手で把手１９を持つと共に、他方の手で他の部分を把持して運搬車両８１まで運搬して、荷台に載せる。また、椅子取付け体Ｂの場合には、左右一対の把手４１を持って、体重計本体Ａと同様にして運搬する。足載せ体Ｄの場合には、３つの部分に分解した状態で、全体を掴んだ状態で運搬車両８１まで運搬して、荷台に載せる。なお、図１５において、８２は、訪問看護の看護者を示す。
【００４７】
このように、本発明に係る椅子型体重計は、３つの部材に分解されるために、個々の部材の重量は小さくなり、しかも各部材に設けられた把手１９，４１を利用することにより、運搬が容易となる。
【００４８】
また、体重計本体と椅子取付け体とを分解可能に連結する第１連結手段に関しては、上記実施例の他に、以下に記載の実施例を含めて種々考えられる。例えば、図１６に示される実施例では、体重計本体の連結板４’の裏面における計重器Ｓの両側に左右一対の嵌合孔形成ブロック６１が一体に取付けられて、当該各ブロック６１に、連結板４’の上面側から嵌合孔６２が明けられていて、当該連結板４’と、椅子取付け体のベース板２１’とは、ベース板２１’の裏面側に一体に設けられた左右一対の嵌合ピン６３が、前記連結板４’に形成された嵌合孔６２に嵌合される。このため、体重計本体の連結板４’に対して椅子取付け体を垂直下方に下降させて、前記嵌合により、体重計本体に対して椅子取付け体を組み立てると共に、体重計本体の連結板４’に対して椅子取付け体を垂直上方に持ち上げて、前記嵌合を解除させて、体重計本体と椅子取付け体とを分解する。
【００４９】
また、図１７に示される実施例は、体重計本体の連結板４”の各コーナー部にだまる形の係合孔６４が形成されていると共に、椅子取付け体のベース板２１”の裏面における前記各係合孔６４に対応する部分に、段差係合ピン６５がそれぞれ取付けられている。体重計本体の連結板４”の直上に椅子取付け体のベース板２１”を配置しておいて、体重計本体に対して椅子取付け体を下降させて、段差係合ピン６５の大径部６５ａを係合孔６４の円形孔部６４ａに挿通させた後に、連結板４”に対してベース板２１”を僅かにスライドさせて、段差係合ピン６５の小径部６４ｂを係合孔６４の溝孔部６５ｂに挿入させると、連結板４”における係合孔６４の溝孔部６４ｂの両側縁部に段差係合ピン６５の大径部６５ａの一部が配置されて、連結板４”に対してベース板２１”は、幅方向Ｑ及び上下方向に移動になって、体重計本体に対して椅子取付け体が組み付けられる。なお、組み立て状態において、連結板４”に対してベース板２１”が後方にスライドするのを防止しておくと安全である。また、体重計本体と椅子取付け体とを分解するには、上記と逆の操作を行えばよい。
【００５０】
更に、図１８に示される実施例は、体重計本体の連結板４''' の各コーナ部に、直交配置される一対の位置決めブロック６６が取付けられて、椅子取付け体のベース板２１''' は、一対一組となった計４組の各位置決めブロック６６の間に挿入配置されることにより、体重計本体に対して椅子取付け体が組み付けられる。そして、計４組で８個の各位置決めブロック６６のうち少なくとも２つのブロック６６に嵌合ピン６７を貫通させておいて、当該嵌合ピン６７の先端部を、ベース板２１''' の嵌合孔６８に嵌合させることにより、連結板４''' とベース板２１''' とを仮固定すると、安全となる。
【００５１】
また、椅子取付け体と足載せ体とを分解可能に連結する第２連結手段に関しても、計３枚のスライド板を用いた上記実施例の構成に限定されない。例えば、椅子取付け体のベース板の幅方向の両端部に設けられた左右一対のスライドバーの先端部に、足載せ体の支持姿勢を維持させて、当該足載せ体を支持させる構成であってもよい。
【符号の説明】
【００５２】
Ａ：体重計本体
Ｂ：椅子取付け体
Ｃ：椅子
Ｄ：足載せ体
Ｊ1 ：第１連結手段
Ｊ2 ：第２連結手段
Ｍ：下肢障害者（被計重者）
Ｐ：前後方向
Ｑ：幅方向
Ｓ：計重器
１：脚体
４，４',４'', ４''' ：連結板（第１連結手段）
４ａ：連結板の位置決め部
１６：ピン式プレスプランジャ（第１連結手段）
１６ａ：プランジャピン
１８：表示器
21，21',21'', 21''' ：ベース板（第２連結手段）
２２：位置決め体（第１連結手段）
２４：位置決め固定孔（第１連結手段）
３１：固定連結板（第２連結手段）
３２：第１スライド連結板（第２連結手段）
３３：第２スライド連結板（第２連結手段）
４８：連結バー
７１：第２スライド連結板の第１連結溝
７２：第２スライド連結板の第２連結溝
【図１】
0005342523.tif 000002
【図２】
0005342523.tif 000003
【図３】
0005342523.tif 000004
【図４】
0005342523.tif 000005
【図５】
0005342523.tif 000006
【図６】
0005342523.tif 000007
【図７】
0005342523.tif 000008
【図８】
0005342523.tif 000009
【図９】
0005342523.tif 000010
【図１０】
0005342523.tif 000011
【図１１】
0005342523.tif 000012
【図１２】
0005342523.tif 000013
【図１３】
0005342523.tif 000014
【図１４】
0005342523.tif 000015
【図１５】
0005342523.tif 000016
【図１６】
0005342523.tif 000017
【図１７】
0005342523.tif 000018
【図１８】
0005342523.tif 000019